(57)【要約】【課題】第一方向の位置を変更可能に一対の脚体及び補強部材を補強することができる什器を提供する。【解決手段】什器１は、互いに第一方向Ｘに離間して床面上に立設された一対の脚体と、一対の脚体により下方から支持された天板２１と、一対の脚体間に架設され、第一方向に沿って延びる取付け部４１Ａ，４８Ａが設けられた補強部材３１と、一対の脚体間の床面上に立設され、取付け部の第一方向に沿ういずれかの位置に選択的に取付けられる固定部８４を有し、補強部材を下方から支持する補助脚体６６と、を備える。【選択図】図５
2019136308.tif 000002
【特許請求の範囲】
【請求項１】
互いに第一方向に離間して床面上に立設された一対の脚体と、
前記一対の脚体により下方から支持された天板と、
前記一対の脚体間に架設され、前記第一方向に沿って延びる取付け部が設けられた補強部材と、
前記一対の脚体間の前記床面上に立設され、前記取付け部の前記第一方向に沿ういずれかの位置に選択的に取付けられる固定部を有し、前記補強部材を下方から支持する補助脚体と、
を備える什器。
【請求項２】
互いに第一方向に離間して床面上に立設された一対の脚体と、
前記一対の脚体により下方から支持された天板と、
前記一対の脚体間に架設され、前記第一方向に沿う互いに異なる複数の位置に取付け部が設けられた補強部材と、
前記一対の脚体間の前記床面上に立設され、前記複数の取付け部のいずれか１つに選択的に取付けられる固定部を有し、前記補強部材を下方から支持する補助脚体と、
を備える什器。
【請求項３】
前記補助脚体は、前記床面に沿うとともに前記第一方向に直交する第二方向において、前記補強部材の範囲内に配置されている請求項１又は２に記載の什器。
【請求項４】
前記補強部材は、前記一対の脚体間に、前記床面に沿うとともに前記第一方向に直交する第二方向に互いに間隔を空けて架設された第一補強片及び第二補強片を有し、
前記第一補強片と前記第二補強片との間に、配線が挿通される第一配線挿通空間が形成されている請求項１から３のいずれか一項に記載の什器。
【請求項５】
前記第一補強片の下端部、及び前記第二補強片の下端部に、前記取付け部がそれぞれ設けられている請求項４に記載の什器。
【請求項６】
前記補助脚体は、前記第二方向に互いに間隔を空けて配置された第一補助片及び第二補助片を有し、
前記第一補助片と前記第二補助片との間に、前記配線が挿通され、前記第一配線挿通空間に連通する第二配線挿通空間が形成されている請求項４又は５に記載の什器。
【発明の詳細な説明】
【技術分野】
【０００１】
本発明は、什器に関する。
【背景技術】
【０００２】
従来、オフィス等の執務空間では、執務効率を向上させるために執務作業面を形成する天板が設けられた什器が多く使用されている。什器をこのように構成することにより、使用する物品（特には電子機器や書類等）を天板上に載置して執務を行うことができるため、執務効率を向上させることができる。
【０００３】
この種の什器では、床面上に互いに左右方向（第一方向）に離間して脚体を立設するとともに、一対の脚体間に天板及び補強部材を架設させた構成が一般的である（例えば、特許文献１及び２参照）。什器をこのように構成することにより、什器を簡易的かつ安価に構成することができる。また、一対の脚体間の距離を長くすることによって、一つの什器を複数の執務者が天板上の左右方向に沿う外縁部に沿って並んで使用することができる。そして、什器全体としてのコストを低く抑えることができる。さらに、この構造の什器では、脚体が左右方向の端部のみに設けられ、左右方向の中間部に配設されない。このため、この什器は、什器の下肢空間（天板よりも下方かつ床面よりも上方の空間）を広く確保することができるというメリットも有している。
【０００４】
ただし、これらの構造の什器では、一対の脚体と、一対の脚体間に架設された天板及び補強部材によって什器全体が支持される。このため、一対の脚体間の距離が長くなればなるほど、脚体、天板、及び補強部材自体の強度や互いの連結強度を高める必要があり、構造の複雑化や製造コストの増大の原因となる場合がある。
【０００５】
こうした問題に対応するため、一対の脚体間において、天板の下方を左右方向に移動自在なワゴンを用いて天板を下方から支持する什器が発明されている（例えば、特許文献３参照）。
特許文献３の什器によれば、所望の位置にワゴンを配して天板を支持することができる。
【先行技術文献】
【特許文献】
【０００６】
【特許文献１】特許第４８５５９００号公報
【特許文献２】特許第５２０９５２３号公報
【特許文献３】特許第５０５２３５８号公報
【発明の概要】
【発明が解決しようとする課題】
【０００７】
しかしながら、特許文献３の什器では、左右方向において、ワゴンを配置したい位置と、一対の脚体及び補強部材を補強したい位置とが異なり、ワゴンを配置したい位置を優先する場合には、一対の脚体及び補強部材を所望の位置で補強できないという問題がある。
【０００８】
本発明は、このような問題点に鑑みてなされたものであって、第一方向の位置を変更可能に一対の脚体及び補強部材を補強することができる什器を提供することを目的とする。
【課題を解決するための手段】
【０００９】
上記課題を解決するために、この発明は以下の手段を提案している。
本発明の什器は、互いに第一方向に離間して床面上に立設された一対の脚体と、前記一対の脚体により下方から支持された天板と、前記一対の脚体間に架設され、前記第一方向に沿って延びる取付け部が設けられた補強部材と、前記一対の脚体間の前記床面上に立設され、前記取付け部の前記第一方向に沿ういずれかの位置に選択的に取付けられる固定部を有し、前記補強部材を下方から支持する補助脚体と、を備えることを特徴としている。
この発明によれば、床面上に立設される補助脚体の固定部は、取付け部の第一方向に沿ういずれかの位置に選択的に取付けられるため、補助脚体により、第一方向の位置を変更可能に一対の脚体及び補強部材を補強することができる。
【００１０】
また、本発明の他の什器は、互いに第一方向に離間して床面上に立設された一対の脚体と、前記一対の脚体により下方から支持された天板と、前記一対の脚体間に架設され、前記第一方向に沿う互いに異なる複数の位置に取付け部が設けられた補強部材と、前記一対の脚体間の前記床面上に立設され、前記複数の取付け部のいずれか１つに選択的に取付けられる固定部を有し、前記補強部材を下方から支持する補助脚体と、を備えることを特徴としている。
【００１１】
この発明によれば、床面上に立設される補助脚体の固定部は、第一方向に沿って配置された複数の取付け部のいずれか１つに選択的に取付けられるため、補助脚体により、第一方向の位置を変更可能に一対の脚体及び補強部材を補強することができる。
【００１２】
また、上記の什器において、前記補助脚体は、前記床面に沿うとともに前記第一方向に直交する第二方向において、前記補強部材の範囲内に配置されていてもよい。
この発明によれば、執務者が使用しない空間に補助脚体を配置することができるため、、下肢空間を広く確保し、什器を使用する際の使い勝手を向上させることができる。
【００１３】
また、上記の什器において、前記補強部材は、前記一対の脚体間に、前記床面に沿うとともに前記第一方向に直交する第二方向に互いに間隔を空けて架設された第一補強片及び第二補強片を有し、前記第一補強片と前記第二補強片との間に、配線が挿通される第一配線挿通空間が形成されていてもよい。
この発明によれば、什器で使用する電子機器の配線を、執務者が使用しない補強部材の第一配線挿通空間内に納めることができ、什器としての使い勝手を良好にすることができる。
【００１４】
また、上記の什器において、前記第一補強片の下端部、及び前記第二補強片の下端部に、前記取付け部がそれぞれ設けられていてもよい。
この発明によれば、補強部材における補助脚体に近い部分に取付け部が設けられるため、補助脚体を補強部材に簡易的かつ安価な構成で取付けることができる。
【００１５】
また、上記の什器において、前記補助脚体は、前記第二方向に互いに間隔を空けて配置された第一補助片及び第二補助片を有し、前記第一補助片と前記第二補助片との間に、前記配線が挿通され、前記第一配線挿通空間に連通する第二配線挿通空間が形成されてもよい。
この発明によれば、電子機器の配線を、第一配線挿通空間内を通して、執務者が使用しない補助脚体の第二配線挿通空間内に納め、床面により近い場所まで引き回すことができる。
【発明の効果】
【００１６】
本発明の什器によれば、第一方向の位置を変更可能に一対の脚体及び補強部材を補強することができる。
【図面の簡単な説明】
【００１７】
【図１】本発明の一実施形態の什器の斜視図である。
【図２】同什器を分解した斜視図である。
【図３】図１中のＩＩＩ−ＩＩＩ線に相当する断面図である。
【図４】同什器の配線トレーの斜視図である。
【図５】図１中のＶ−Ｖ線に相当する断面図である。
【図６】同什器の補助脚体の側面図である。
【図７】同補助脚体の平面図である。
【図８】同補助脚体を分解した斜視図である。
【図９】同補助脚体の要部を平面視した断面図である。
【発明を実施するための形態】
【００１８】
以下、本発明に係る什器の一実施形態を、図１から図９を参照しながら説明する。
図１及び図２に示すように、本実施形態の什器１は、互いに左右方向（第一方向）Ｘに離間して配置された一対の脚体１１と、一対の脚体１１により下方から支持された天板２１と、一対の脚体１１間に架設された補強部材３１と、補強部材３１を下方から支持する補助脚体６６と、を備えている。
【００１９】
脚体１１は、左右方向Ｘが厚さ方向となる板状に形成されている。脚体１１は、左右方向Ｘに見たときに、矩形状に形成されている。脚体１１は、床面Ｆ上に立設されている。
本実施形態では、一対の脚体１１の間に、中間脚体１６が配置されている。中間脚体１６は、上下方向Ｚに延びる脚本体部１７と、脚本体部１７の上端部に固定された横梁部１８と、を備えている。なお、什器１は中間脚体１６を備えなくてもよい。
脚本体部１７は柱状に形成され、床面Ｆ上に立設されている。横梁部１８は、脚本体部１７の上端部から前後方向（第二方向）Ｙの一方側及び他方側にそれぞれ延びている。なお、前後方向Ｙは、床面Ｆに沿うとともに左右方向Ｘに直交する方向であり、補強部材３１の幅方向である。
横梁部１８の前後方向Ｙの中央部が、脚本体部１７の上端部に固定されている。
【００２０】
天板２１は、上下方向Ｚに見た平面視で左右方向Ｘに長い矩形状に形成されている。天板２１は、４枚の天板片２２〜２５が格子状に配置されて構成されている。天板片２２〜２５は、平面視で左右方向Ｘに長い矩形状に形成されている。天板片２２〜２５の下面には、図示しないナットが埋め込まれている。
天板片２２，２３は、左右方向Ｘに隙間を空けずに並べて配置されている。天板片２４，２５は、左右方向Ｘに隙間を空けずに並べて配置されている。天板片２２と天板片２４とは、前後方向Ｙに隙間Ｓ１を空けて並べて配置されている。天板片２３と天板片２５とは、前後方向Ｙに隙間Ｓ１を空けて並べて配置されている。
天板片２２〜２５は、図示しないボルトを天板片２２〜２５のナットに嵌め合わせることにより、一対の脚体１１、及び中間脚体１６の横梁部１８に固定されている。
【００２１】
補強部材３１の前後方向Ｙの長さは、天板２１の前後方向Ｙの長さよりも短い。補強部材３１は、第一補強部材３２Ａと、第二補強部材３２Ｂと、を備えている。
第一補強部材３２Ａは、一対の脚体１１の一方である脚体１１Ａと中間脚体１６との間に架設されている。第二補強部材３２Ｂは、一対の脚体１１の他方である脚体１１Ｂと中間脚体１６との間に架設されている。補強部材３２Ａ，３２Ｂは、一対の脚体１１間に中間脚体１６を介して架設されている。
【００２２】
本実施形態では、第一補強部材３２Ａの構成と第二補強部材３２Ｂの構成とは、互いに同一である。このため、第一補強部材３２Ａの構成を、数字、又は数字及び英小文字に英大文字「Ａ」を付加することで示す。第二補強部材３２Ｂのうち第一補強部材３２Ａに対応する構成を、第一補強部材３２Ａと同一の数字、又は数字及び英小文字に英大文字「Ｂ」を付加することで示す。これにより、重複する説明を省略する。例えば、第一補強部材３２Ａの後述する支持体３４Ａと第二補強部材３２Ｂの後述する支持体３４Ｂとは、互いに同一の構成である。後述する第一支持脚６７Ａ、第二支持脚６７Ｂ等についても同様である。
【００２３】
図３に示すように、第一補強部材３２Ａは、互いに前後方向Ｙに離間して配置された一対の支持体３４Ａ，３５Ａを備えている。支持体３４Ａは、支持体３５Ａよりも前後方向Ｙの一方である前方に配置されている。支持体３４Ａは、第一補強片３７Ａと、内向き折曲り片３８Ａと、上片３９Ａと、支持片４０Ａと、を備えている。
第一補強片３７Ａは、前後方向Ｙが厚さ方向となる板状に形成されている。第一補強片３７Ａは、脚体１１Ａと中間脚体１６との間に架設されている。
内向き折曲り片３８Ａは、第一補強片３７Ａの左右方向Ｘの各端部にそれぞれ形成されている。内向き折曲り片３８Ａは、取付けねじ４２Ａにより中間脚体１６及び脚体１１に固定されている。
【００２４】
上片３９Ａは、第一補強片３７Ａの上端部から後方に向かって延びている。上片３９Ａは、天板片２２における後方（隙間Ｓ１側）の外縁部の下面に接触している。すなわち、本実施形態では、第一補強部材３２Ａは天板片２２，２４を下方から支持している。なお、第一補強部材３２Ａは天板片２２，２４から下方に離間していてもよい。
支持片４０Ａは、第一補強片３７Ａの下端部に設けられている。支持片４０Ａは、第一補強片３７Ａの下端部から後方に向かって延びるとともに、後端部を上方に向かって折り曲げられ、さらに上端部を前方に向かって折り曲げられている。支持片４０Ａにおいて、後方に向かって延びる長さは、前方に向かって折り曲げられる長さよりも長い。支持片４０Ａは、前方が開口するコ字状に形成されている。
第一補強片３７Ａ、上片３９Ａ、及び支持片４０Ａのそれぞれは、左右方向Ｘの所定の範囲にわたって延びている。支持片４０Ａにより構成される取付け部４１Ａは、レール状に形成され、左右方向Ｘに沿って延びている。取付け部４１Ａの左右方向Ｘに沿ういずれかの位置には、補助脚体６６が取付けられる。取付け部４１Ａは、第一補強片３７Ａの下端部に設けられている。
【００２５】
支持体３５Ａは、支持体３４Ａの第一補強片３７Ａ、内向き折曲り片３８Ａ、上片３９Ａ、支持片４０Ａと同様に構成された第二補強片４４Ａ、内向き折曲り片４５Ａ、上片４６Ａ、支持片４７Ａを備えている。前後方向Ｙに直交し、隙間Ｓ１を通る基準面Ｐ１に対して、第二補強片４４Ａ、内向き折曲り片４５Ａ、上片４６Ａ、支持片４７Ａは、第一補強片３７Ａ、内向き折曲り片３８Ａ、上片３９Ａ、支持片４０Ａと面対称に形成されている。
内向き折曲り片４５Ａは、取付けねじ４９Ａにより中間脚体１６及び脚体１１に固定されている。支持片４７Ａにより構成される取付け部４８Ａは、左右方向Ｘに沿って延びている。取付け部４８Ａは、第二補強片４４Ａの下端部に設けられている。
【００２６】
第二補強片４４Ａ及び第一補強片３７Ａは、前後方向Ｙに互いに間隔を空けて配置されている。第一補強片３７Ａと第二補強片４４Ａとの間に、什器１で使用する図示しない電子機器の配線Ｃが挿通される第一配線挿通空間Ｓ３が形成されている。
同様に、上片４６Ａ及び上片３９Ａ、支持片４７Ａ及び支持片４０Ａのそれぞれは、前後方向Ｙに互いに間隔を空けて配置されている。
【００２７】
支持体３４Ａ，３５Ａの支持片４０Ａ，４７Ａには、図３及び図４に示す配線トレー５２が載置されている。配線トレー５２は、硬質の合成樹脂材等で形成されている。配線トレー５２は、載置板５３と、上向き片５４と、下向き片５５と、落ち止め片５６と、を備えている。
載置板５３は、平面視で左右方向Ｘに長い矩形状に形成されている。載置板５３には、載置板５３を上下方向Ｚに貫通する小孔５３ａが複数形成されている。上向き片５４は、載置板５３の前後方向Ｙの各端部から上方に向かって突出している。下向き片５５は、載置板５３の前後方向Ｙの各端部から下方に向かって突出している。
一対の下向き片５５間の前後方向Ｙの距離は、一対の上向き片５４の前後方向Ｙの外側の距離よりも長い。一対の下向き片５５の前後方向Ｙの外側の距離は、支持片４０Ａ，４７Ａ間の前後方向Ｙの距離よりも長く、補強片３７Ａ，４４Ａ間の前後方向Ｙの距離よりも短い。
【００２８】
落ち止め片５６は、載置板５３の左右方向Ｘの各端部から、上方及び下方に向かってそれぞれ突出している。落ち止め片５６には、什器１で使用する図示しない電子機器の配線Ｃを左右方向Ｘに導出させる切欠き５６ａが形成されている。
【００２９】
このように構成された配線トレー５２は、第一補強部材３２Ａの補強片３７Ａ，４４Ａ間に納まる。また、配線トレー５２の一対の上向き片５４を、別の配線トレー５２の一対の下向き片５５で前後方向Ｙのに挟むことにより、上下方向Ｚに積み重ねられた複数の配線トレー５２を倒れにくくすることができる。
【００３０】
図３に示すように、天板片２２と天板片２４との間の隙間Ｓ１等には、平板状のカバー部材５９が取付けられている。カバー部材５９は、カバー部材５９の左右方向Ｘの各端部において、支持ブラケット６０により支持されている。より詳しく説明すると、支持ブラケット６０の上端部には、一対の支軸６１の端部が固定されている。一対の支軸６１は、左右方向Ｘに延び、前後方向Ｙに互いに間隔を空けて配置されている。
支持ブラケット６０は、第一補強部材３２Ａの左右方向Ｘの各端部に取付けねじ６２により固定されている。
【００３１】
カバー部材５９に形成された係合溝５９ａは、支軸６１に係合する。カバー部材５９は、支軸６１に係合溝５９ａが係合した状態で、支軸６１周りに図３中に二点鎖線で示すように回転可能である。
【００３２】
図１及び図５に示すように、補助脚体６６は、一対の脚体１１間の床面Ｆ上に立設され、補強部材３１の取付け部４１Ａ，４８Ａに取付けられている。以下では、補強部材３１の第一補強部材３２Ａに取付けられている補助脚体６６について説明するが、第二補強部材３２Ｂに取付けられている補助脚体６６についても同様である。
図６から図８に示すように、補助脚体６６は、第一支持脚６７Ａと、第二支持脚６７Ｂと、上部補強部材６８と、下部補強部材６９と、連結金具７０と、を備えている。なお、図６及び図７では、連結金具７０を示していない。
第一支持脚６７Ａは、第一補助片７３Ａと、支持片７４Ａ，７５Ａと、を備えている。
第一補助片７３Ａは、前後方向Ｙに見たときに上下方向Ｚに長い矩形の板状に形成されている。
支持片７４Ａは、第一補助片７３Ａの左右方向Ｘの一方である右側の端部に設けられている。支持片７４Ａは、第一補助片７３Ａの右端部から後方に向かって延びるとともに、後端部を左側に向かって折り曲げられ、さらに左端部を前方に向かって折り曲げられている。支持片７４Ａにおいて、後方に向かって延びる長さは、前方に向かって折り曲げられている長さよりも長い。支持片７４Ａは、前方が開口するコ字状に形成されている。
支持片７４Ａにおける後方を向く面には、係合部７６Ａが２つ固定されている。なお、図８では係合部７６Ａ，７６Ｂを簡略化して示している。
【００３３】
図９に示すように、係合部７６Ａは、小径部７６ａＡと、小径部７６ａＡよりも外径が大きい大径部７６ｂＡと、を備えている。例えば、小径部７６ａＡ及び大径部７６ｂＡは、円筒状に形成されている。小径部７６ａＡ及び大径部７６ｂＡは、同軸上に配置されている。小径部７６ａＡは支持片７４Ａよりも後方に配置され、大径部７６ｂＡは小径部７６ａＡよりも後方に配置されている。小径部７６ａＡと大径部７６ｂＡとの間には、小径部７６ａＡの全周にわたって段部が形成されている。
図８に示すように、２つの係合部７６Ａは、支持片７４Ａに上下方向Ｚに互いに間隔を空けて配置されている。
【００３４】
支持片７５Ａは、左右方向Ｘに直交する基準面に対して支持片７４Ａと面対称に形成されている。すなわち、支持片７５Ａは、第一補助片７３Ａの左端部に設けられている。支持片７５Ａは、第一補助片７３Ａの左端部から後方に向かって延びるとともに、後端部を右側に向かって折り曲げられ、さらに右端部を前方に向かって折り曲げられている。支持片７５Ａは、前方が開口するコ字状に形成されている。
支持片７５Ａにおける後方を向く面には、係合部７６Ａが２つ固定されている（不図示）。
【００３５】
図６から図８に示すように、第二支持脚６７Ｂは、第一支持脚６７Ａの第一補助片７３Ａ、支持片７４Ａ，７５Ａと同様に構成された、第二補助片７３Ｂ、支持片７４Ｂ，７５Ｂを備えている。支持片７４Ｂ，７５Ｂにおける前方を向く面には、係合部７６Ｂがそれぞれ２つ固定されている。
図５に示すように、第二補助片７３Ｂ及び第一補助片７３Ａは、前後方向Ｙに互いに間隔を空けて配置されている。第一補助片７３Ａと第二補助片７３Ｂとの間には、配線Ｃが挿通され、第一配線挿通空間Ｓ３に連通する第二配線挿通空間Ｓ４が形成されている。すなわち、配線トレー５２上の配線Ｃを、第一配線挿通空間Ｓ３から第二配線挿通空間Ｓ４を通して、床面Ｆにより近い場所まで引き回すことができる。
第一支持脚６７Ａ及び第二支持脚６７Ｂは、前後方向Ｙに互いに間隔を空けて配置されている。
【００３６】
図７に示すように、上部補強部材６８は、平面視で前後方向Ｙに長い矩形の板状に形成されている。図７及び図８に示すように、上部補強部材６８の右側及び左側の外縁部における前後方向Ｙの中央部には、切欠き６８ａがそれぞれ形成されている。切欠き６８ａは、第一支持脚６７Ａと第二支持脚６７Ｂとを配置する間隔に対応して形成されている。上部補強部材６８には、上部補強部材６８を上下方向Ｚに貫通する貫通孔６８ｂが形成されている。
上部補強部材６８は、支持脚６７Ａ，６７Ｂの上端部に溶接等により固定されている。図５に示すように、上部補強部材６８は、支持片４０Ａ，４７Ａに、支持片４０Ａ，４７Ａの下方から接触している。
【００３７】
図８に示すように、下部補強部材６９は、貫通孔６８ｂ以外は、上部補強部材６８と同様に構成されている。下部補強部材６９の右側及び左側の外縁部における前後方向Ｙの中央部には、切欠き６９ａがそれぞれ形成されている。下部補強部材６９の前後方向Ｙの端部には、下部補強部材６９の高さを調節するためのアジャスタ７７がそれぞれ固定されている。
下部補強部材６９は、支持脚６７Ａ，６７Ｂの下端部に溶接等により固定されている。
【００３８】
図５及び図８に示すように、連結金具７０は、金具本体８０と、連結片８１と、ナット８２と、を備えている。
金具本体８０は、左右方向Ｘに見たときに下方が開口するコ字状に形成されている。金具本体８０は、支持片４０Ａ，４７Ａに前後方向Ｙに係合している（図５参照）。
連結片８１は、金具本体８０における基準面Ｐ１側の下端部から前後方向Ｙに沿って基準面Ｐ１側に突出している。
ナット８２は、連結片８１に固定されている。ナット８２は、上部補強部材６８の貫通孔６８ｂに対応する位置に配置されている。
【００３９】
ナット８２には、上部補強部材６８の貫通孔６８ｂに挿入したボルト８３が、上部補強部材６８の下方から嵌め合わせられている。なお、上部補強部材６８、連結金具７０、及びボルト８３で、補強部材３１の取付け部４１Ａ，４８Ａの左右方向Ｘに沿ういずれかの位置に選択的に補助脚体６６を取付ける固定部８４を構成する。
ボルト８３がナット８２に向かって締め込まれていることにより、連結金具７０の金具本体８０及び上部補強部材６８で、第一補強部材３２Ａの支持片４０Ａ，４７Ａを上下方向Ｚに挟み込んでいる。こうして、第一補強部材３２Ａに補助脚体６６が取付けられている。
【００４０】
図６から図８に示すように、本実施形態では、支持脚６７Ａ，６７Ｂにおいて、支持片７４Ａ，７４Ｂの間、支持片７５Ａ，７５Ｂの間の一部は、カバー８７Ａ，８７Ｂにより塞がれている。
カバー８７Ａは、カバー本体８８Ａと、支持片８９Ａ，９０Ａと、を備えている。カバー本体８８Ａは、左右方向Ｘに見たときに上下方向Ｚに長い矩形の板状に形成されている。カバー本体８８Ａの上方及び下方の外縁部における前後方向Ｙの中央部には、切欠き８８ａＡがそれぞれ形成されている。
支持片８９Ａは、カバー本体８８Ａの前端部から左側に向かって突出している。支持片８９Ａには、被係合部８９ａＡが２つ形成されている。被係合部８９ａＡは、支持片８９Ａの左端部から右側に向かって所定の長さ延び、さらにその右端部から上方に向かって所定の長さ延びている。被係合部８９ａＡは、第一支持脚６７Ａの支持片７４Ａに設けられた係合部７６Ａに対応して形成されている。
【００４１】
同様に、図示はしないが、支持片９０Ａには、第二支持脚６７Ｂの支持片７４Ｂに設けられた係合部７６Ｂに対応した被係合部９０ａＡが２つ形成されている。
図９に示すように、カバー８７Ａの被係合部８９ａＡに、第一支持脚６７Ａの係合部７６Ａの小径部７６ａＡが係合する。同様に、カバー８７Ａの被係合部９０ａＡに、第二支持脚６７Ｂの係合部７６Ｂの小径部が係合する。こうして、支持脚６７Ａ，６７Ｂにカバー８７Ａが取付けられている。
【００４２】
図８に示すように、カバー８７Ｂは、カバー８７Ａのカバー本体８８Ａ、支持片８９Ａ，９０Ａと同様に構成されたカバー本体８８Ｂ、支持片８９Ｂ，９０Ｂを備えている。
カバー８７Ａ，８７Ｂは、第二配線挿通空間Ｓ４を左右方向Ｘに挟むように配置されている。
【００４３】
図５に示すように補助脚体６６は、前後方向Ｙにおいて、補強部材３１の範囲内に配置されている。すなわち、補助脚体６６の前後方向Ｙの長さは、補強部材３１の第一補強部材３２Ａの前後方向Ｙの長さと同等か、第一補強部材３２Ａの前後方向Ｙの長さよりもわずかに短い。
補助脚体６６の前後方向Ｙの長さがこのように設定されているため、執務者が使用しない第一補強部材３２Ａの下方の空間に補助脚体６６を配置することができる。従って、執務者の下肢空間を広く確保し、什器１を使用する際の使い勝手が向上する。
【００４４】
以上のように構成された什器１において、第一補強部材３２Ａに対して補助脚体６６が取付けらている左右方向Ｘの位置を変更するには、以下に説明する工程を行う。
まず、補助脚体６６において、支持脚６７Ａ，６７Ｂに対してカバー８７Ａを上方に移動させ、さらに右側に移動させる。こうして、カバー８７Ａの被係合部８９ａＡ，９０ａＡと支持脚６７Ａ，６７Ｂの係合部７６Ａ，７６Ｂとの係合を解除し、補助脚体６６からカバー８７Ａを取外す。
補助脚体６６のボルト８３をナット８２とは反対側に向かって回転させて、ボルト８３を緩める。アジャスタ７７により補助脚体６６の高さを適宜調節し、補助脚体６６の左右方向Ｘの位置を変更する。
【００４５】
ボルト８３をナット８２に向かって締め込み、これまで補助脚体６６が取付けられていた取付け部４１Ａ，４８Ａの左右方向Ｘに沿う位置とは異なる、取付け部４１Ａ，４８Ａの左右方向Ｘに沿う位置に補助脚体６６を取付ける。
支持脚６７Ａ，６７Ｂに対してカバー８７Ａを左側に移動させ、さらに下方に移動させる。こうして、カバー８７Ａの被係合部８９ａＡ，９０ａＡと支持脚６７Ａ，６７Ｂの係合部７６Ａ，７６Ｂとを係合させる。こうして、支持脚６７Ａ，６７Ｂにカバー８７Ａを取付ける。
このように、カバー８７Ａ，８７Ｂは支持脚６７Ａ，６７Ｂに着脱可能である。
以上の工程を行うことにより、第一補強部材３２Ａに対して補助脚体６６が取付けられている左右方向Ｘの位置が変更される。
【００４６】
なお、本実施形態の什器１では、什器１の強度を補強する目的でワゴンを用いる必要がない。このため、左右方向Ｘにおいてワゴンを配置したい位置と、一対の脚体１１及び補強部材３１を補助脚体６６により補強したい位置とが異なるという問題が生じることがない。
【００４７】
以上説明したように、本実施形態の什器１によれば、床面Ｆ上に立設される補助脚体６６の固定部８４は、取付け部４１Ａ，４８Ａの左右方向Ｘに沿ういずれかの位置に選択的に取付けられるため、補助脚体６６により、左右方向Ｘの位置を変更可能に一対の脚体１１及び補強部材３１を補強することができる。
【００４８】
補助脚体６６は、前後方向Ｙにおいて補強部材３１の範囲内に配置されている。このため、執務者が使用しない空間に補助脚体６６を配置することができる。従って、下肢空間を広く確保し、什器１を使用する際の使い勝手を向上させることができる。
補強部材３１の第一補強片３７Ａと第二補強片４４Ａとの間に、第一配線挿通空間Ｓ３が形成されている。これにより、什器１で使用する電子機器の配線Ｃを執務者が使用しない補強部材３１の第一配線挿通空間Ｓ３内に納めることができ、什器１としての使い勝手を良好にすることができる。
【００４９】
補強片３７Ａ，４４Ａの下端部に、取付け部４１Ａ，４８Ａが設けられている。補強部材３１における補助脚体６６に近い部分に取付け部４１Ａ，４８Ａが設けられるため、補助脚体６６を補強部材３１に簡易的かつ安価な構成で取付けることができる。
補助脚体６６の第一補助片７３Ａと第二補助片７３Ｂとの間に、第二配線挿通空間Ｓ４が形成されている。従って、電子機器の配線Ｃを、第一配線挿通空間Ｓ１内を通して、執務者が使用しない補助脚体６６の第二配線挿通空間Ｓ４内に納め、床面Ｆにより近い場所まで引き回すことができる。
【００５０】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、補強部材３１に、取付け部４１Ａ，４８Ａが左右方向Ｘに沿って延びているとした。しかし、取付け部は、補強部材３１に左右方向Ｘに沿う互いに異なる複数の位置に設けられてもよい。この場合、例えば、補強部材に左右方向Ｘに沿って、複数のナット（取付け部）を互いに異なる位置に設ける。補助脚体に挿入したボルト（固定部）を複数のナットのいずれか１つに選択的に取付けることにより、補強部材に補助脚体が取付けられる。
このように構成することにより、床面Ｆ上に立設される補助脚体６６のボルトは、左右方向Ｘに沿って配置された複数のナットのいずれか１つに選択的に取付けられるため、補助脚体６６により、左右方向Ｘの位置を変更可能に一対の脚体１１及び補強部材３１を補強することができる。
【００５１】
補助脚体６６の前後方向Ｙの長さは、補強部材３１の前後方向Ｙの長さよりも長くてもよい。取付け部４１Ａ，４８Ａは、補強片３７Ａ，４４Ａにおける上下方向Ｚの中間部や上端部に設けられてもよい。補強部材及び補助脚体が、中実に形成されてもよい。
【符号の説明】
【００５２】
１    什器
１１  脚体
２１  天板
３１  補強部材
３７Ａ  第一補強片
４１Ａ，４８Ａ  取付け部
４４Ａ  第二補強片
６６  補助脚体
７３Ａ  第一補助片
７３Ｂ  第二補助片
８４  固定部
Ｃ    配線
Ｆ    床面
Ｓ３  第一配線挿通空間
Ｓ４  第二配線挿通空間
Ｘ    左右方向（第一方向）
Ｙ    前後方向（第二方向）
【図１】
2019136308.tif 000003
【図２】
2019136308.tif 000004
【図３】
2019136308.tif 000005
【図４】
2019136308.tif 000006
【図５】
2019136308.tif 000007
【図６】
2019136308.tif 000008
【図７】
2019136308.tif 000009
【図８】
2019136308.tif 000010
【図９】
2019136308.tif 000011